(57)【特許請求の範囲】
【請求項１】
取付け対象体に対して着脱自在に取付けされる枠状体であって、
枠部と、該枠部の一端側に備えられ、前記取付け対象体の一端側に対して掛脱自在に掛合する掛合部とを備え、
前記掛合部は、二つの掛合体を有し、該二つの掛合体のうちの一方を前記枠部に対して回動可能に軸支した回動掛合体としてなり、
前記回動掛合体は、その回動により、前記他方の掛合体を掛合状態と掛合解除状態とに切替えると共に、他方の掛合体の掛合解除状態時に独立して掛合状態となることを特徴とする枠状体。
【請求項２】
前記回動掛合体は、前記他方の掛合体の掛合状態時に、該他方の掛合体と協同する掛合状態を構成する掛合面部を有していることを特徴とする請求項１に記載の枠状体。
【請求項３】
前記他方の掛合体は、前記枠部に対してスライド可能に支持されたスライド掛合体としてなり、該スライド掛合体のスライドにより、前記回動掛合体と協同する掛合状態を構成することを特徴とする請求項２に記載の枠状体。
【請求項４】
前記枠部の他端側には、該他端側に対面する取付け対象体の他端側に掛脱自在に掛合すると共に、前記掛合部と取付け対象体を固定する固定掛合部が備えられ、該固定掛合部は、枠部に対して掛合部と接近・離間する方向にスライド自在に支持されていることを特徴とする請求項１乃至３いずれか１項に記載の枠状体。
【発明の詳細な説明】
【技術分野】
【０００１】
本発明は、主に、組立家屋を含む各種家屋や建築物の壁面等の取付け対象体に対して着脱自在に取付けされる枠状体に関し、例えば、掲示板や看板等を支持する支持枠の構成を有する枠状体、あるいは、梯子や手すり等の構成を有する枠状体に関する。
【背景技術】
【０００２】
組立家屋を含む各種家屋や、建築物の壁面等の取付け対象体に対して着脱自在に取付けされる枠状体は、例えば、掲示板や看板等を支持する支持枠や、高い場所へ昇るための梯子に用いられている。
【０００３】
支持枠については、例えば、工事現場において作業工程が記載される掲示板や、安全標語等が記載された看板等を支持するのに用いられ、例えば、現場事務所の他、作業員の準備場所及び休憩場所や、打ち合わせ場所として使用される組立家屋の壁面に設置される。
【０００４】
ところで、支持枠の取付けにおいては、例えば、組立家屋の壁面に釘等で打ち付けて固定したり、組立家屋の屋根からロープやチェーン等で吊り下げたりしているが、このような方法であると、着脱作業が面倒である上、釘等により組立家屋に対して傷を付けてしまうおそれがある。
【０００５】
尚、本発明に関連する先行技術文献のうち、出願人が当該特許出願時に知っているものがないので、開示すべき先行技術文献情報はない。
【発明の開示】
【発明が解決しようとする課題】
【０００６】
本発明は、このような問題に対処することを課題とするものである。
すなわち、取付け対象体に対する着脱が容易であり、しかも、取付け対象体に対する傷付きを抑制できる枠状体の提供を目的とする。
【課題を解決するための手段】
【０００７】
前記目的を達成するため、本発明に係る枠状体は、以下の構成を少なくとも具備する。
【０００８】
すなわち、取付け対象体に対して着脱自在に取付けされる枠状体であって、枠部と、該枠部の一端側に備えられ、前記取付け対象体の一端側に対して掛脱自在に掛合する掛合部とを備え、前記掛合部は、二つの掛合体を有し、該二つの掛合体のうちの一方を前記枠部に対して回動可能に軸支した回動掛合体としてなり、前記回動掛合体は、その回動により、前記他方の掛合体を掛合状態と掛合解除状態とに切替えると共に、他方の掛合体の掛合解除状態時に独立して掛合状態となることを特徴とする。
【０００９】
前記回動掛合体は、前記他方の掛合体の掛合状態時に、該他方の掛合体と協同する掛合状態を構成する掛合面部を有していることを特徴とする。
【００１０】
前記他方の掛合体は、前記枠部に対してスライド可能に支持されたスライド掛合体としてなり、該スライド掛合体のスライドにより、前記回動掛合体と協同する掛合状態を構成することを特徴とする。
【００１１】
前記枠部の他端側には、該他端側に対面する取付け対象体の他端側に掛脱自在に掛合すると共に、前記掛合部と取付け対象体を固定する固定掛合部が備えられ、該固定掛合部は、枠部に対して掛合部と接近・離間する方向にスライド自在に支持されていることを特徴とする。
【発明を実施するための最良の形態】
【００１２】
以下、本発明に係る枠状体を実施するための最良の形態を図面に基づいて説明する。
尚、本形態で例示する枠状体１は、図２（ａ）に示すように、掲示板Ｂを支持する支持枠であり、以下では、枠状体１を支持枠１として説明する。
【００１３】
本形態で例示する取付け対象体Ａは、図２（ｂ）及び図４に示すように、上端側の屋根部Ａ１と、壁部Ａ２と、下端側の床下部Ａ３とを備えた家屋状のものであり、図２（ｂ）及び図３に示すように屋根部Ａ１の上面の一辺全域を直方体状に突出させた段差部Ａ４を有し、図４及び図５（ａ），（ｂ）に示すように段差部Ａ４を除く上面を平坦部Ａ５としたものである。
【００１４】
すなわち、本形態の支持枠１は、取り付け対象体Ａに対して前記のような構成の屋根部Ａ１における段差部Ａ４側又は平坦部Ａ５側と、床下部Ａ３に亘って、着脱自在に掛合取付けするものであり、以下、この支持枠１の構成を説明する。
【００１５】
支持枠１は、図１（ａ）〜（ｃ）に示すように、前記掲示板Ｂを支持する枠部２と、該枠部２の上端側(屋根部Ａ１側)に設けられた掛合部３と、枠部２の下端側(床下部Ａ３側)に設けられた固定掛合部４とから構成されている。
【００１６】
枠部２は、二本の縦枠２１を４本の横枠２２で連結した略梯子状を呈する形状のものである。横枠２２には、図１及び図２（ａ），（ｂ）に示すように、掲示板Ｂを左右方向から抜き挿し可能に支持する支持片２３が備えられている。支持片２３は略Ｌ型状を呈し、一対の支持片２３で一枚の掲示板Ｂの上下縁を上下から挟持状に支持するように三対配置されている。
【００１７】
掛合部３は、図２及び図３に示すように、段差部Ａ４側のコーナー部(以下「段差部側コーナー部」という)Ａ４１と、図４及び図５に示すように、平坦部Ａ５側のコーナー部(以下「平坦部側コーナー部」という)Ａ５１に対して掛脱自在に掛合するものである。この掛合部３は、二本の縦枠２１の夫々設けられており、平坦部側コーナー部Ａ５１に対して掛合するものであって、枠部２に対して回動可能に軸支した回動掛合体３１と、段差部側コーナー部Ａ４１に対して掛合するものであって、枠部２に対してスライド可能に支持されたスライド掛合体３２の二つの掛合体を備えている。そして、回動掛合体３１の回動により、段差部側コーナー部Ａ４１に対する掛合状態と、平坦部側コーナー部Ａ５１に対する掛合状態とに切替えるようにされている。
【００１８】
回動掛合体３１は、図４及び図５に示すように、掛合状態において、平坦部側コーナー部Ａ５１を境に、壁部Ａ２と対面する壁部掛合板３１Ａと、平坦部Ａ５と対面する平坦部掛合板３１Ｂとからなる略Ｌ型状に形成されている。
【００１９】
壁部掛合板３１Ａは、掛合状態において壁部Ａ２に接触する壁部側接触面３１０を有し、該壁部側接触面３１０と反対側の面(枠部２と対面する面)と、縦枠２１から壁部Ａ２方向へ突出させた支持板２４とに亘って固着した蝶板２５により、図面上、枠部２に対して上下方向に回動可能に連結されている。
【００２０】
平坦部掛合板３１Ｂは、掛合状態において平坦部Ａ５に接触する平坦部側接触面３１１を有し、該平坦部接触面３１１には、軟質の合成樹脂材やゴム材、あるいはスポンジ材等からなる滑り止め及びクッションとなる緩衝板３１２が固着されている。平坦部接触面３１１の反対側の面は、図２及び図３に示すように、スライド掛合体３１が段差部側コーナー部Ａ４１に掛合した状態で壁部Ａ２に接触して、回動掛合体３１がスライド掛合体３２と協同で掛合するための掛合面部３１３である。この掛合面部３１３は、平坦部接触面３１１が平坦部Ａ５に接触した状態においてスライド掛合体３２に接触する。
【００２１】
スライド掛合体３２は、図２及び図３に示すように、掛合状態において段差部Ａ４の上面部Ａ４２に接触する段差部側接触面３２０と、段差部Ａ４における壁部Ａ２と反対側の側面部Ａ４３に接触する側面部側接触面３２１とからなる略Ｌ型状に形成されている。
【００２２】
このスライド掛合体３２は、側面部側接触面３２１が側面部Ａ４３に対して接近・離間する方向にスライドする構成を有している。その構成は、スライド掛合体３２に長手方向をスライド方向とする長孔３２２と、該長孔３２２を貫通すると共に、支持板２４に対して螺合される日本の固定ボルト３２３からなる。そして、固定ボルト３２３の螺合を緩めることによりスライド掛合体３２がスライド可能となり、締め付けることによりスライド不可能となる。
【００２３】
このようにした掛合部３によれば、支持枠１を取付け対象体Ａの段差部Ａ４側に取付ける場合には、図２及び図３に示すように、回動掛合体３１を平坦部掛合板３１Ｂの先端が下向きとなる(平坦部掛合板３１Ｂの掛合面部３１３が壁部Ａ２と対面する)ように回動させて、スライド掛合体３２を段差部側コーナー部Ａ４１に掛合する。
【００２４】
このとき、スライド掛合体３２をスライドさせることにより、側面部側接触面３２１が側面部Ａ４３に、掛合面部３１３が壁部Ａ２に夫々接触する。すなわち、この段差部Ａ４側への取付けにおいては、段差部側接触面３２０が上面部Ａ４２に接触すると共に、側面部側接触面３２１と掛合面部３１３とで段差部Ａ４を挟持する協同掛合であるため、その掛合状態を保持するのに効果的である。更に、スライド掛合体３２のスライドにより、段差部Ａ４の幅が異なる取付け対象体にも対応することができる。
【００２５】
支持枠１を取付け対象体Ａの平坦部Ａ５側に取付ける場合には、図４及び図５に示すように、回動掛合体３１を平坦部掛合板３１Ｂの平坦部側接触面３１１が平坦部Ａ５と対面するように回動させて、平坦部側コーナー部Ａ５１に掛合する。この掛合状態では、平坦部側接触面３１１が平坦部Ａ５に接触すると共に、壁部側接触面３１０が壁部Ａ２に接触した２箇所の接触面による掛合であるため、その掛合状態を保持するのに効果的である。
【００２６】
支持枠１の取付け位置を段差部Ａ４側から平坦部Ａ５側へ変更する場合、図５（ａ）〜（ｃ）に示す手順で行なうことができる。
【００２７】
すなわち、支持枠１を段差部Ａ４側から取外すとき、平坦部掛合板３１Ｂの掛合面部３１３が壁部Ａ２と対面する状態で取外されるため、支持枠１を段差部Ａ４側から平坦部Ａ５側に移動させ、図５（ａ）に示すように、回動掛合体３１の先端を平坦部Ａ５に接触させる。次に、図５(ｂ)に示すように、支持枠１を下方に引き下げる動作を行うことにより、回動掛合体３１が上方(スライド掛合体３２方向)に回動し、この回動により、図５(ｃ)に示すように、回動掛合体３１を平坦部側コーナー部Ａ５１に掛合させることができる。したがって、支持枠１の取付けを段差部Ａ４側から平坦部Ａ５側へ変更する動作を、支持枠１を取外し、該支持枠１を回動掛合体３１に手が届くまで倒して回動掛合体３１を回動操作することなく行うことができる。
【００２８】
固定掛合部４は、床下部Ａ３側に掛合し、屋根部Ａ１側に掛合される掛合部３とで取付け対象体Ａを挟持して、支持枠１を取付け対象体Ａに固定状に取付けるためのものである。
【００２９】
固定掛合部４は、図６（ａ）〜(ｃ)に示すように、床下部Ａ３のコーナー部Ａ３１に掛合する掛合凹部４１と、該掛合凹部４１の枠部２側の端部から該枠部Ａ２側に突出させた嵌合板４２と、該嵌合板４２に対して上下方向に貫通したボルト(螺合体)４３とから構成されている。
【００３０】
ボルト４３は、ねじ部４３０が嵌合板４２に開孔された貫通孔４２０に遊嵌合され、且つねじ部４３０には、ボルトヘッド４３２とで嵌合板４２を上下で挟持する保持板４３１が固着されている。又、ねじ部４３０は、枠部２から壁部Ａ２方向へ突出させた支持板２６に対して、上下方向に螺合されている。
【００３１】
すなわち、ボルト４３を螺合及び螺合解除方向に回動させることにより、固定掛合部４が上下方向に移動して、コーナー部Ａ３１に対して掛合解除状態(図６（ａ）)と掛合状態(図６(ｂ))とに切換えることができる。そして、掛合状態において、屋根部Ａ１側に掛合される掛合部３とで取付け対象体Ａを挟持して、支持枠１を取付け対象体Ａに固定状に取付けることができる。
【００３２】
以上のような構成の支持枠１によれば、釘等は一切使用せず、掛合部３の屋根部Ａ１側への掛合と、固定掛合部４の床下部Ａ３側への掛合により取付けることができ、該掛合を解除することにより取外すことができるので、支持枠１の着脱が確実、且つ容易であると共に、取付け対象体Ａに対する傷付きを抑制することができる。しかも、掛合部３における回動掛合部３１の回動、及びスライド掛合部３２のスライドにより、屋根部Ａ１の形態の異なる部位に対していずれにも対応することができる。
【００３３】
尚、本発明は、例示した実施の形態に限定するものでは無く、特許請求の範囲の各項に記載された技術的思想の範囲において、各種形態による実施が可能である。
【００３４】
例えば、例示した形態では、固定掛合部を備えた支持枠としているが、本発明では、この固定掛合部４を備えない支持枠も包含し、この場合、支持枠の下端部を地面に挿し込めるような形態にすることが好ましい（図示せず）。又、例示した形態では、枠状体を掲示板や看板等を支持する支持枠としているが、本発明では、例示した支持枠に限定するものではなく、例えば、昇降用の梯子としても利用でき、梯子とした場合の使用形態として、屋外のみならず、室内の２段ベッドやロフトの昇降に用いられる梯子としても使用できる（図示せず）。又、例示した形態では、取付け対象体の上下方向に沿って取付けた状態を示しているが、固定掛合部を備えたものでは左右方向に沿って取付けることができる（図示せず）。
【図面の簡単な説明】
【００３５】
【図１】本発明に係る支持枠(枠状体)の一例を示し、（ａ）は平面図、（ｂ）は正面図、(ｃ)は側面図。
【図２】支持枠を段差部側に取付けた状態を示し、（ａ）は正面図、（ｂ）は側面図。
【図３】図２の要部拡大図。
【図４】支持枠を平坦部側に取付けた状態を示す側面図。
【図５】掛合部を平坦部側に掛合する手順を示す工程図。
【図６】固定掛合部を床下に掛合する手順を示す工程図。
【符号の説明】
【００３６】
１：支持枠（枠状体）  ２：枠部    ３：掛合部    ４：固定掛合部
Ａ：取付け対象体  Ａ１：屋根部  Ａ２：壁部  Ａ３：床下部  Ａ４：段差部
Ａ５：平坦部  ３１：回動掛合体  ３２：スライド掛合体  ３１Ａ：壁部掛合板
３１Ｂ：平坦部掛合板  ３２２:長孔  ３２３：固定ボルト  ４１：掛合凹部
４２：嵌合板  ４３：ボルト(螺合体)   ３１０:壁部側接触面  
３１１:平坦部側接触面  ３１３：掛合面部  ３２０：段差部側接触面
３２１：側面部側接触面
【図１】
0005021525.tif 000002
【図２】
0005021525.tif 000003
【図３】
0005021525.tif 000004
【図４】
0005021525.tif 000005
【図５】
0005021525.tif 000006
【図６】
0005021525.tif 000007